(57)【特許請求の範囲】
【請求項１】
昇降路内を昇降する移動体と、上記移動体に設けられた吊り車と、上記吊り車に巻き掛けられたロープと、上記ロープを駆動して上記移動体を昇降させる巻上機と、上記移動体上で、上記ロープの上記吊り車に対するロープ出入口の近傍に設けられ、上記ロープ出入口を落下物に対して防護する防護装置とを備えたエレベータ装置において、
上記防護装置が、上記ロープに対して離接可能に可動に上記移動体上に支持された防護ユニットと、
上記防護ユニットと上記移動体との間に設けられ、上記防護ユニットを常時上記ロープに接触させて上記ロープ出入口を閉塞させる偏倚手段とを備えたことを特徴とするエレベータ装置。
【請求項２】
上記偏倚手段が、バネであることを特徴とする請求項１に記載のエレベータ装置。
【請求項３】
上記防護ユニットが、上記移動体に対して摺動可能に案内された基端部と、上記基端部から上記ロープに向かって延びたカバー本体部と、上記カバー本体部に設けられて上記ロープに接触する接触端部とを備えたことを特徴とする請求項１あるいは２に記載のエレベータ装置。
【請求項４】
上記カバー本体部が、先端部に上記ロープの周面側面を巡って延びて、上記ロープの周面の周辺部をカバーする指状部を備えていることを特徴とする請求項３に記載のエレベータ装置。
【請求項５】
上記接触端部が、低摩擦材料であることを特徴とする請求項３に記載のエレベータ装置。
【請求項６】
上記接触端部が、ローラであることを特徴とする請求項３に記載のエレベータ装置。
【請求項７】
上記防護装置が、上記ロープの側面を上記ロープの走行方向に対して直角な方向にカバーする側面カバーを備えたことを特徴とする請求項１〜６のいずれか一項に記載のエレベータ装置。
【請求項８】
上記側面カバーが、上記移動体によって支持されていることを特徴とする請求項７に記載のエレベータ装置。
【請求項９】
上記側面カバーが、上記防護ユニットによって支持されていることを特徴とする請求項７に記載のエレベータ装置。
【発明の詳細な説明】
【技術分野】
【０００１】
本発明はエレベータ装置に関するものであり、特にロープの吊車に対する出入口を異物の侵入に対して防護する防護装置を備えたエレベータ装置に関するものである。
【背景技術】
【０００２】
従来のエレベータ装置においては、異物侵入を防ぐ防護装置は、ロープの吊り車に対する出入口付近で取付部材に設けられて、吊り車とロープとの間に落下物が侵入するのを防止するものであり、取付部材上の回動点を中心に回動してロープとの間の隙間（距離）を一定に調整できるようにしてある（例えば特許文献１参照）。
【０００３】
【特許文献１】国際公開第ＷＯ２００４／０１３０２９号公報
【発明の開示】
【発明が解決しようとする課題】
【０００４】
このような従来の異物侵入防止装置は、巻上機の駆動綱車のように固定された綱車におけるロープ入口部分の異物に対する防護の場合には、侵入防止装置とロープとの間の隙間が常に一定であるので、一度設定した隙間も一定の狭い状態に維持できる。
【０００５】
しかしながら、釣合錘の吊り車のように昇降路内を移動する綱車の場合、一般的なエレベータでは、吊り車に巻き掛けられたロープの繰り出し位置とロープの固定位置とが垂直上でずれていて、水平面上に垂直投影した位置が相違している。従って、昇降路内での釣合錘の高さ位置によって吊り車上のロープの巻き付き量が変化して、吊り車から繰り出されたロープの吊り車に対する振れ角が変化する。
【０００６】
このため、従来の異物侵入防止装置では、ロープとの間の隙間の大きさが吊り車の位置によって変化して一定に保つことができず、この隙間が大きくなったときには、ロープと吊り車の綱溝との間に入り込み、ロープや綱溝が損傷する可能性が大きくなっていた。また、綱車のロープ入口部に横方向（ロープの移動方向に直角な方向）から侵入しようとする異物に対する防護ができていない。
【０００７】
従ってこの発明の目的は、綱車に対するロープの振れ角が変化する場合にもロープとの間の隙間を一定に保つことができて異物侵入を防止する防護装置を備えたエレベータ装置を提供することである。
【課題を解決するための手段】
【０００８】
この発明のエレベータ装置は、昇降路内を昇降する移動体と、上記移動体に設けられた吊り車と、上記吊り車に巻き掛けられたロープと、上記ロープを駆動して上記移動体を昇降させる巻上機と、上記移動体上で、上記ロープの上記吊り車に対するロープ出入口の近傍に設けられ、上記ロープ出入口を落下物に対して防護する防護装置とを備えたエレベータ装置において、上記防護装置が、上記ロープに対して離接可能に可動に上記移動体上に支持された防護ユニットと、上記防護ユニットと上記移動体との間に設けられ、上記防護ユニットを常時上記ロープに接触させて上記ロープ出入口を閉塞させる偏倚手段とを備えたことを特徴とするエレベータ装置である。
【発明の効果】
【０００９】
この発明のエレベータ装置によれば、綱車に対するロープの振れ角が変化する場合にもロープと防護ユニットとの間の隙間を一定に保つことができて、異物侵入の可能性を最小限にできる。
【発明を実施するための最良の形態】
【００１０】
実施の形態１．
図１〜図４にはこの発明のエレベータ装置の一実施形態を示し、図１はこの発明のエレベータ装置の一実施形態を示す概略正面図であり、図２は防護装置を備えた吊り車の概略正面図、図３は防護装置を示す概略正面図、図４は図３の防護装置の概略平面図である。
【００１１】
図１に示すようにこの発明のエレベータ装置は、昇降路内を昇降する移動ユニットであるかご１および釣合錘２と、かご１および釣合錘２にそれぞれ設けられた吊り車３および４と、吊り車３および４に巻き掛けられたロープ５と、ロープ５を駆動してかご１および釣合錘２を昇降させる巻上機６と、かご１および釣合錘２上で、ロープ５の吊り車３および４に対するロープ出入口７、８、９および１０の近傍に設けられ、ロープ出入口７〜１０を落下物に対して防護する防護装置１１とを備えている。図１において、実線はかご１が上昇した位置を示し、２点鎖線はかご１が降下した位置を示している。
【００１２】
図２には釣合錘２に設けた吊り車４と防護装置１１との関係を示してある。かご１に設けた吊り車３と防護装置１１も同様の構成である。吊り車４は、釣合錘２上に設けられた支柱１３によって支持された軸１４上で回転できるようにされていて、周面の綱溝にはロープ５が掛け回されている。支柱１３にはまた防護装置１１をロープ出入口７および８の近傍に支持するための取付台１５が設けられている。
【００１３】
図３および図４において、防護装置１１は、移動体である釣合錘２上に取付台１５を介して支持されて、ロープ５に対して離接可能に可動である防護ユニット１６を備えている。防護ユニット１６は、釣合錘２に対して取付台１５を介して摺動可能に案内された平板状の基端部１７を備えている。基端部１７には長孔１９が設けられていて、この長孔１９には取付台１５の頂部に設けられた案内ピン１８が嵌合しており、基端部１７が取付台１５上で案内されつつ摺動できるようにしてある。基端部１７の図３および図４で右端には後に説明する偏倚手段であるバネ２０を支持するための立ち上がり部２１が設けられている。
【００１４】
防護ユニット１６はまた、基端部１７の図で左端から左斜め上方にロープ５に向かって延びた平板状のカバー本体部２２と、カバー本体部２２の先端部に設けられてロープ５に接触する接触端部２３とを備えている。接触端部２３は、カバー本体部２２にボルト・ナット２４で取り付けられたブラケット２５によって支持され、ロープ５に接触する接触片２６を持っている。接触片２６は、ニューライト等の摩耗しにくい材料でできている。また低摩擦材料であるのが望ましい。
【００１５】
防護装置１１は更に、先に説明した防護ユニット１６の基端部１７の立ち上がり部２１に設けられた偏倚手段である引っ張りバネ２０を備えている。バネ２０は、、防護ユニット１６を常時ロープ５に向けて偏倚させて接触させ、防護ユニット１６によってロープ出入口７を閉塞させるためのものである。バネ２０は、一端で基端部１７の立ち上がり部２１に接続され、他端は取付台１５にネジ２７によって固着されたバネブラケット２８の図で左端の立ち下がり部２９に接続されていて、防護ユニット１６を常時ロープ５に向けて押し付けている。
【００１６】
防護装置１１は更に、ロープの側面（図４でロープ５に対して上下の部分）をロープ５の走行方向に対して直角な方向にカバーする側面カバー３０を備えている。側面カバー３０は、フランジ３１がネジ３２（図４参照）によって取付台１５に取り付けられた２枚の板状部材であり、移動体である釣合錘２によって支持されているとも言える。
【００１７】
この発明のエレベータ装置によれば、防護装置１１は、移動体である釣合錘２上に取付台１５を介してロープ５に対して離接可能に可動に支持された防護ユニット１６と、防護ユニット１６と釣合錘２との間に設けられ、防護ユニット１６を常時ロープ５に接触させてロープ出入口７、８を閉塞させる偏倚手段であるバネ２０とを備えている。このため、エレベータ装置が、図１の実線で示すように、かご１が上昇位置にあって釣合錘２が降下位置にある場合で、ロープ５の開き角度が大きくロープ出入口が大きい場合にも、また図１の想像線で示すように、かご１が降下位置にあって釣合錘２が上昇位置にある場合で、ロープ５の開き角度が小さくロープ出入口が小さい場合にも、またこれらの間の状態においても、ロープ５と防護装置１１との間の隙間が拡大してしまうようなことがなく、防護ユニット１６の接触端部２３の接触片２６がロープ５に接触した状態が維持され、ロープ出入口７、８を上方からの落下物に対して防護することができる。
【００１８】
また、防護装置１１は、釣合錘２によって支持された側面カバー３０を備えているため、ロープの側面（図４でロープ５に対して上下の部分）がロープ５の走行方向に対して直角な方向にカバーされていて、ロープ側面からの異物の侵入に対してもロープ出入口７、８を防護することができる。
【００１９】
実施の形態２．
図５および図６にはこの発明のエレベータ装置の防護装置の別の実施の形態を概略正面図と概略平面図で示す。このエレベータ装置の防護装置１１においては、防護ユニット１６の接触端部２３が、ローラ３３である。即ち、接触端部２３は、カバー本体部２２にボルト・ナット２４で取り付けられたブラケット２５によって回転可能に支持され、バネ２０によってロープ５に押し付けられて接触するローラ３３を持っている。ローラ３３は、回転できるためにロープ５との接触による摩耗が少ないが、ニューライト等の摩耗しにくい材料でつくり、また低摩擦材料とするのが望ましい。その他の構成は、図１〜図４に示すエレベータ装置の防護装置に関連して説明した構成と同様であるので、ここには改めて説明しない。
【００２０】
実施の形態３．
図７にはエレベータ装置の防護装置に用いる防護ユニットの別の例を斜視図で示してあり、この防護ユニット３４においては、側面カバー３５が防護ユニット３４によって支持されている。また、カバー本体部３６の先端部が、カバー本体部３６の先端部からロープ５の周面側面を巡って延びて、ロープ５の間に入り込み、ロープ５の周面の周辺部をカバーする指状部３７を備えている。図示の例では、側面カバー３５は防護ユニット３４の基端部３８から折り曲げられて延びた側壁部分であり、防護ユニット３４と共に取付台１５に対して移動する。接触端部３９を構成するローラ３３はカバー本体部３６から折り曲げ加工されたブラケット４０によって支持されている。必要があればローラ３３は、例えば側面カバー３５に取り付けられた回転軸によって支持する等により、側面カバー３５によって支持することもできる。また、側面カバー３５の先端部分にはロープ５に沿って下方に延びた延長部分４１が設けられていて、ロープ出入口７の側面の防護がより確実になされるようにしてある。その他の構成は、図１〜図４あるいは図５および図６に示すエレベータ装置の防護装置に関連して説明した構成と同様であるので、ここには改めて説明しない。
【００２１】
以上に図示して説明したエレベータ装置は単なる例であって様々な変形が可能であり、またそれぞれの具体例の特徴を全てあるいは選択的に組み合わせて用いることもできる。
【図面の簡単な説明】
【００２２】
【図１】この発明のエレベータ装置の一実施形態を示す概略正面図である。
【図２】図１に示す釣合錘の吊り車に設けられた防護装置を示す概略正面図である。
【図３】防護装置の詳細を示す概略正面図である。
【図４】図３の防護装置の概略平面図である。
【図５】この発明のエレベータ装置の防護装置の別の実施の形態を示す概略正面図である。
【図６】図６の防護装置の概略平面図である。
【図７】この発明のエレベータ装置の防護装置の更に別の実施の形態を示す概略斜視図である。
【符号の説明】
【００２３】
１  かご、２  釣合錘、３、４  吊り車、５  ロープ、６  巻上機、７〜１０  ロープ出入口、１１  防護装置、１６、３４  防護ユニット、１７、３８  基端部、２０  バネ（偏倚手段）、２２、３６  カバー本体部、２３、３９  接触端部、２６  接触片、３０、３５  側面カバー、３３  ローラ、３７  指状部、４１  延長部分。
【図１】
0005137671.tif 000002
【図２】
0005137671.tif 000003
【図３】
0005137671.tif 000004
【図４】
0005137671.tif 000005
【図５】
0005137671.tif 000006
【図６】
0005137671.tif 000007
【図７】
0005137671.tif 000008